(57)【要約】【課題】登録情報を表示する際に可動パネルの位置に応じて優先順位の高い登録情報を見つけ出し易く表示する。【解決手段】複合機１０は、可動式の操作パネルを備え、操作パネルから入力された登録情報と操作パネルの位置情報とを関連付けて記憶する。記憶されている登録情報を操作パネルに表示する際は、検出した操作パネルの位置情報と記憶されている位置情報とを比較し、その比較結果に応じて、登録情報の表示の優先順位を制御する。【選択図】図２
2011193177.tif 000002
【特許請求の範囲】
【請求項１】
登録対象の登録情報を入力する入力部と、
表示部と、
操作部と、
前記表示部と前記操作部の少なくとも一方を有し、変位可能に支持されたパネル部と、
記憶部に、前記入力部から入力された登録情報と前記パネル部の位置情報とを関連付けて記憶させる登録部と、
前記パネル部の位置を検出する検出部と、
前記記憶部に記憶されている登録情報を前記表示部に表示する際に、前記検出部によって検出された前記パネル部の位置情報と前記記憶部に記憶されている位置情報とを比較し、その比較結果に応じて、前記登録情報の表示の優先順位を制御する表示制御部と、
を備えた登録情報表示装置。
【請求項２】
前記表示制御部は、前記比較では前記検出部によって検出された前記パネル部の位置情報と前記記憶部に記憶されている位置情報との差分を求め、その差分に応じて、前記登録情報の表示の優先順位を変更する
ことを特徴とする請求項１に記載の登録情報表示装置。
【請求項３】
前記表示制御部は、前記比較では前記検出部によって検出された前記パネル部の位置情報と前記記憶部に記憶されている位置情報とが一致しているか否かを確認し、前記記憶部に記憶されている登録情報のうち、前記一致している位置情報に関連付けて記憶されている登録情報のみを前記表示部に表示する
ことを特徴とする請求項１に記載の登録情報表示装置。
【請求項４】
前記入力部は前記操作部を含み、
前記登録部は、前記操作部から入力された登録情報と、その登録情報の入力が行われた際に前記検出部によって検出された前記パネル部の位置情報とを関連付けて前記記憶部に記憶させる
ことを特徴とする請求項１〜３のいずれか１項に記載の登録情報表示装置。
【請求項５】
請求項１〜４のいずれか１項に記載の登録情報表示装置と、
前記記憶部と、
前記表示部に表示し前記操作部で選択を受けた登録情報を使用して処理を行う処理部と、
を備えたことを特徴とする画像処理装置。
【発明の詳細な説明】
【技術分野】
【０００１】
本発明は、可動パネルの位置に応じて表示制御を行う登録情報表示装置および画像処理装置に関する。
【背景技術】
【０００２】
表示パネル（操作パネル）を可動式とすることで各個人の見やすい（使いやすい）位置に調整できる表示装置においては、その表示パネルの位置に応じて表示制御を行う技術が考案されている。
【０００３】
たとえば、可動式の表示パネルを備えた画像形成装置では、表示パネルの位置に応じて、表示するボタンのサイズや表示する文字の漢字かな表記などを変化させる（特許文献１参照）、あるいは、表示する文字のサイズを変化させる（特許文献２参照）、あるいは、外部から転送された情報（広告など）と操作メニュー画面との表示を切り換える（特許文献３参照）などの表示制御を行う技術が考案されている。
【先行技術文献】
【特許文献】
【０００４】
【特許文献１】特開２００８−１６０６１９号公報
【特許文献２】特開２００８−２７５６８８号公報
【特許文献３】特開２００９−１６２８３４号公報
【発明の概要】
【発明が解決しようとする課題】
【０００５】
画像形成装置（画像処理装置）は、表示パネルにボタンや文字、操作メニュー画面などを表示する他に、複数の登録情報を一覧表示する場合がある。たとえば、画像の送信宛先や内部保存場所（ボックス）を複数登録できるものでは、登録されている複数の送信宛先や内部保存場所を選択画面に一覧表示し、ユーザが所望の送信宛先や内部保存場所を選択できるようにしているものがある。また、装置を複数のユーザが共用する場合には、登録されている複数のユーザの名前をユーザ認証時（認証前）に選択画面に一覧表示し、ユーザが自分の名前を選択することで、名前を入力する手間を省けるようにしているものもある。
【０００６】
このように、複数の登録情報を画面に一覧表示する場合には、登録情報の登録数が多くなると画面内の表示数も多くなり、ユーザは所望の登録情報を見つけ出し難くなる。表示パネルを可動式とすることでユーザの見やすい位置に画面を調整できても、その位置調整だけでは、複数の登録情報を画面に一覧表示した場合に生じる登録情報の検索性（所望の登録情報の発見性）の低下は改善されない。
【０００７】
また、上記の特許文献１〜３は、表示パネルの位置に応じて、表示パネルに表示するボタンや文字、画面の表示制御を行うものであり、複数の登録情報を一覧表示した場合に生じる登録情報の検索性の低下を解決することはできない。
【０００８】
本発明は、上記の問題を解決しようとするものであり、登録情報を表示する際に可動パネルの位置に応じて優先順位の高い登録情報を見つけ出し易く表示することができる登録情報表示装置および画像処理装置を提供することを目的としている。
【課題を解決するための手段】
【０００９】
かかる目的を達成するための本発明の要旨とするところは、次の各項の発明に存する。
【００１０】
［１］登録対象の登録情報を入力する入力部と、
表示部と、
操作部と、
前記表示部と前記操作部の少なくとも一方を有し、変位可能に支持されたパネル部と、
記憶部に、前記入力部から入力された登録情報と前記パネル部の位置情報とを関連付けて記憶させる登録部と、
前記パネル部の位置を検出する検出部と、
前記記憶部に記憶されている登録情報を前記表示部に表示する際に、前記検出部によって検出された前記パネル部の位置情報と前記記憶部に記憶されている位置情報とを比較し、その比較結果に応じて、前記登録情報の表示の優先順位を制御する表示制御部と、
を備えた登録情報表示装置。
【００１１】
上記発明では、登録情報表示装置は、表示部と操作部の少なくとも一方を有して変位可能に支持された可動式のパネル部（可動パネル）を備える。入力部から入力された登録対象の登録情報は、パネル部の位置情報と関連付けて記憶部に記憶し登録する。このパネル部の位置情報は、入力部から入力するようにしてもよい。記憶部は、登録情報表示装置の内部に設けてもよく、外部に設けてもよい。
【００１２】
本構成では、パネル部の位置情報を予め登録情報に関連付けておき、この位置情報を、登録情報の表示の優先順位を決めるための条件に使用する。
【００１３】
すなわち、記憶部に記憶されている登録情報を表示部に表示する際は、検出したパネル部の位置情報と、登録情報に関連付けて記憶部に記憶されている位置情報とを比較し、その比較結果に応じて（検出したパネル部の位置に応じて）、登録情報の表示の優先順位を制御する。この制御は、登録情報の表示の優先順位を変更する制御、登録情報の表示数を変更する制御などを含む。
【００１４】
これにより、パネル部の位置が変更されると、そのパネル部の位置に近い位置情報に関連付けられている登録情報から優先的に表示し、その登録情報を見つけ出し易く表示するなどが可能となる。
【００１５】
［２］前記表示制御部は、前記比較では前記検出部によって検出された前記パネル部の位置情報と前記記憶部に記憶されている位置情報との差分を求め、その差分に応じて、前記登録情報の表示の優先順位を変更する
ことを特徴とする［１］に記載の登録情報表示装置。
【００１６】
上記発明では、検出されたパネル部の位置情報と、記憶されている位置情報との差分に応じて、登録情報の表示の優先順位を変更する。たとえば、差分の小さい登録情報は優先順位を上げ、差分の大きい登録情報は優先順位を下げるなどにより、検出されたパネル部の位置との差が小さい位置情報に関連付けられている登録情報から優先的（見つけ出し易く）に表示することができる。
【００１７】
［３］前記表示制御部は、前記比較では前記検出部によって検出された前記パネル部の位置情報と前記記憶部に記憶されている位置情報とが一致しているか否かを確認し、前記記憶部に記憶されている登録情報のうち、前記一致している位置情報に関連付けて記憶されている登録情報のみを前記表示部に表示する
ことを特徴とする［１］に記載の登録情報表示装置。
【００１８】
上記発明では、検出されたパネル部の位置情報と、記憶されている位置情報が一致すれば、記憶部に記憶されている登録情報の中では、その一致している位置情報に関連付けられている登録情報のみを表示する。これにより、検出されたパネル部の位置と一致する位置情報に関連付けられている登録情報を優先的（見つけ出し易く）に表示することができる。
【００１９】
［４］前記入力部は前記操作部を含み、
前記登録部は、前記操作部から入力された登録情報と、その登録情報の入力が行われた際に前記検出部によって検出された前記パネル部の位置情報とを関連付けて前記記憶部に記憶させる
ことを特徴とする［１］〜［３］のいずれか１項に記載の登録情報表示装置。
【００２０】
上記発明では、操作部から登録対象の登録情報の入力が行われた際に検出されたパネル部の位置情報が、その登録情報と関連付けられて記憶部に記憶される。これにより、登録情報と関連付けて記憶するパネル部の位置情報を別途入力しなくても、登録情報の入力時（登録時）に簡単に記憶させることができる。
【００２１】
［５］［１］〜［４］のいずれか１項に記載の登録情報表示装置と、
前記記憶部と、
前記表示部に表示し前記操作部で選択を受けた登録情報を使用して処理を行う処理部と、
を備えたことを特徴とする画像処理装置。
【００２２】
上記発明では、画像処理装置は、記憶部に記憶されている登録情報を表示部に表示する際は、検出したパネル部（可動パネル）の位置情報と、登録情報に関連付けて記憶部に記憶されている位置情報とを比較し、その比較結果に応じて、登録情報の表示の優先順位を制御し登録情報を表示部に表示する。表示部に表示した登録情報に対する選択を操作部で受けると、その選択された登録情報を使用して処理を行う。
【００２３】
この画像処理装置においても、登録情報を表示する際に可動パネルの位置に応じて優先順位の高い登録情報を見つけ出し易く表示することができる。また、優先順位の高い登録情報が見つけ出し易くなることで、その登録情報の選択も容易になる。
【発明の効果】
【００２４】
本発明の登録情報表示装置および画像処理装置によれば、登録情報を表示する際に可動パネルの位置に応じて優先順位の高い登録情報を見つけ出し易く表示することができる。これにより、ユーザが自分の見やすい位置もしくは使いやすい位置に可動パネルを調整すると、そのユーザにとって優先順位の高い登録情報を見つけ出し易く表示するなどが可能となる。したがって、表示された登録情報の中からユーザが所望の登録情報を探して見つけ出す際の検索性が向上する。
【図面の簡単な説明】
【００２５】
【図１】本発明の一実施形態に係る画像処理装置としての複合機の概略構成を示すブロック図である。
【図２】複合機が備える操作パネルの可動機構（傾き調整機構）を模式的に示す図である。
【図３】複合機が備える操作パネルの可動機構（高さ調整機構）を模式的に示す図である。
【図４】複合機が記憶する登録情報の種類と設定情報の一例を一覧にして示す図である。
【図５】複合機の表示部に表示された宛先入力画面の一例を示す図である。
【図６】複合機による登録情報の登録動作の流れを示す図である。
【図７】複合機による登録情報の表示動作の流れを示す図である。
【図８】複合機の表示部に表示された登録情報の選択画面（パネルの位置検索設定・無効時）の一例を示す図である。
【図９】複合機の表示部に表示された登録情報の選択画面（パネルの位置検索設定・優先選択時）の一例を示す図である。
【図１０】複合機の表示部に表示された登録情報の選択画面（パネルの位置検索設定・一致した情報のみ表示選択時）の一例を示す図である。
【図１１】登録名の頭文字があ行に該当するＥｍａｉｌの宛先の登録例を示す図である。
【図１２】図１１にて登録されている操作パネルの角度および高さと、検出された操作パネルの角度および高さとの差分による比較結果を示す図である。
【発明を実施するための形態】
【００２６】
以下、図面に基づき本発明の実施形態を説明する。
【００２７】
図１は、本発明の一実施形態に係る画像処理装置としての複合機１０の概略構成を示すブロック図である。
【００２８】
複合機１０は、原稿の画像を光学的に読み取ってその複製画像を記録紙に印刷して出力するコピー機能、読み取った原稿の画像データをファイルにして複合機１０内のＢＯＸ（フォルダ）に保存したり端末装置やサーバなどへ転送したりするスキャン機能、端末装置から受信した印刷データに係る画像や当該複合機１０に保存されている画像データに係る画像を記録紙に印刷して出力するプリンタ機能、画像データを送受信するファクシミリ機能、電子メールを送受信する電子メール機能、当該複合機１０の使用を許可するユーザを認証する認証機能などを備えている。
【００２９】
また複合機１０は、可動式の操作パネル（表示パネル）を備えており、操作パネルから入力された登録情報と操作パネルの位置情報とを関連付けて記憶する機能と、記憶されている登録情報を操作パネルに表示する際に、検出した操作パネルの位置情報と記憶されている位置情報とを比較し、その比較結果に応じて、登録情報の表示の優先順位を制御する登録情報表示装置としての機能を備えている。
【００３０】
可動式の操作パネルは、たとえばユニバーサルデザインに配慮して採用されているものである。すなわち、身体的特徴を持った人を含め、誰にでも使いやすい操作を提供できるユニバーサルデザインの必要性が高まっており、複合機の操作パネルも角度（傾き）や高さの位置調整を可能とすることで、より操作しやすく表示が見やすいように配慮がされている。
【００３１】
なお、近年の複合機では、不揮発メモリの大容量化に伴い、認証情報(ユーザ／部門)、宛先情報、ＢＯＸ情報などは膨大な数を登録できるようになっている。そのため、多数のユーザに共有されている複合機では登録情報の登録数が多くなり、登録情報を利用する際の選択画面に一覧表示された登録情報の中から、ユーザが所望の登録情報を見つけ出すことが困難な場合がある。
【００３２】
また、登録情報を一覧表示する際に、頭文字毎の並び替えを行うなどの工夫もされているが、同じ頭文字で登録数が多い場合には見つけ出し難い場合がある。特に、該当する登録情報が一覧表示画面の数ページに渡り、所望の登録情報が後方ページに表示される場合には、ページ送りなどの操作が必要となり選択作業が煩雑となる。
【００３３】
本実施形態に係る複合機１０は、上述したように、身体的特徴を持った人を含め、誰にでも使いやすい操作を提供できるユニバーサルデザインなどに配慮し、可動式の操作パネルを備えている。この操作パネルの位置情報は、個人の身体的な特徴を示している。この情報を、登録情報の表示の優先順位を決めるための条件（並び替え条件／絞り込み条件）に用いることで、選択画面に一覧表示した登録情報の中からユーザが所望の登録情報を見つけ出すときに、その検索が容易になるようにする。
【００３４】
複合機１０は、制御部としてのＣＰＵ（Central Processing Unit）１１に、バス１２を介してＲＯＭ（Read Only Memory）１３と、ＲＡＭ（Random Access Memory）１４と、不揮発メモリ１５と、ハードディスク装置１６と、表示部１７と、操作部１８と、ファクシミリ通信部１９と、ネットワーク通信部２０と、画像処理部２１と、スキャナ部２２と、プリンタ部２３と、操作パネル位置検出部２４とを接続して構成される。操作パネル２５は、表示部１７と操作部１８とを備えて構成されている。
【００３５】
ＣＰＵ１１は、ＲＯＭ１３に格納されているプログラムに基づいて複合機１０の動作を制御する。ＲＡＭ１４は、ＣＰＵ１１がプログラムを実行する際に各種データを一時的に格納するワークメモリとして使用されるほか、画像データを一時的に保存するための画像メモリなどにも使用される。
【００３６】
不揮発メモリ１５は、電源がオフにされても記憶が保持されるメモリであり、装置固有の情報や各種の設定情報などが記憶される。ハードディスク装置１６は、各種の保存データを格納するほか、入力された画像データなども保存する。
【００３７】
表示部１７は、液晶ディスプレイなどで構成され、操作画面、設定画面、選択画面などの各種の画面を表示する。操作部１８は、スタートボタン、ストップボタン、テンキーなどの各種のボタン類と、液晶ディスプレイの表面に設けられて押下された座標位置を検出するタッチパネルなどで構成され、ユーザが複合機１０に対して行う各種の操作を受け付ける。
【００３８】
ファクシミリ通信部１９は、ファクシミリ機能を備えた外部装置と公衆回線を通じて画像データを送受信する。ネットワーク通信部２０は、ＬＡＮ（Local Area Network）などのネットワークを通じて端末装置やサーバなどと通信を行う。
【００３９】
画像処理部２１は、画像データに対して、画像補正、回転、拡大／縮小、圧縮／伸張など各種の画像処理を施す。
【００４０】
スキャナ部２２は、原稿を光学的に読み取って画像データを取得する。スキャナ部２２は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路と、ラインイメージセンサの出力するアナログ画像信号をデジタルの画像データに変換する変換部などを備えて構成される。
【００４１】
プリンタ部２３は、画像データに基づく画像を電子写真プロセスによって記録紙上に形成して出力する。プリンタ部２３は、たとえば、記録紙の搬送装置と、感光体ドラムと、帯電装置と、入力される画像データに応じて点灯制御されるＬＤ（Laser Diode）と、ＬＤから射出されたレーザ光を感光体ドラム上で走査させる走査ユニットと、現像装置と、転写分離装置と、クリーニング装置と、定着装置とを有する、いわゆるレーザープリンタとして構成されている。レーザ光に代えてＬＥＤ（Light Emitting Diode）で感光体ドラムを照射するＬＥＤプリンタのほか他の方式のプリンタであってもかまわない。
【００４２】
操作パネル位置検出部２４は、操作パネル２５の位置を検出する。詳細には、操作パネル２５の角度（パネル角度）を検出する検出センサ（角度検出部）と、操作パネル２５の高さ（パネル高さ）を検出する検出センサ（高さ検出部）とを備えている。
【００４３】
図２および図３は、操作パネル２５の可動機構（調整機構）を模式的に示す図である。
【００４４】
操作パネル２５は、複合機１０の装置本体３０に支持部３１を介して取り付けられている。支持部３１は、基端部が装置本体３０に高さ方向へ移動可能（上下動可能）に取り付けられている（図２参照）。操作パネル２５は、支持部３１の先端部に回動可能に取り付けられている（図３参照）。
【００４５】
操作パネル２５は、上記の支持部３１を含む可動機構によって変位可能に支持されており、角度（傾き）と高さが調整可能とされている。詳細には、図２に示すように、支持部３１（装置本体３０）に対して回動（傾動）し、角度（傾き）を調整することができる（パネル角度：α）。図３に示すように、装置本体３０に対して支持部３１と共に上下動し、高さを調整することができる（パネル高さ：β）。
【００４６】
図４は、登録情報の種類と設定情報の一例を一覧にして示す図である。図４に示した一覧における列方向は、登録情報が登録される機能を示しており、行方向は、登録情報の種類と設定情報（各登録情報の詳細設定情報項目）を示している。
【００４７】
上記の機能は、スキャンtoＥｍａｉｌ、スキャンtoＦＴＰ（File Transfer Protocol）、スキャンtoＳＭＢ（Server Message Block）、ＦＡＸ（ファクシミリ）、スキャンtoＢＯＸ、ユーザ認証である。スキャンtoＥｍａｉｌは、スキャナ部２２で読み取った原稿の画像データをファイルにして電子メールに添付し、宛先へ送信する機能である。スキャンtoＦＴＰは、スキャナ部２２で読み取った原稿の画像データを指定（宛先）のＦＴＰサーバに転送して保存する機能である。スキャンtoＳＭＢは、スキャナ部２２で読み取った原稿の画像データを指定（宛先）の端末装置（パーソナルコンピュータなど）に転送して保存する機能である。
【００４８】
登録情報の種類は、登録Ｎｏ、名前、アドレス（宛先）、ユーザ名、パスワードである。設定情報は、パネル角度情報とパネル高さ情報である。パネル角度情報とパネル高さ情報は、全機能で登録可能となっている。
【００４９】
各機能において登録される登録情報の種類は、たとえば、スキャンｔｏＥｍａｉｌでは、登録Ｎｏ、名前、アドレス（宛先）となっている。ユーザ認証では、登録Ｎｏ、名前、パスワードとなっている。
【００５０】
図５は、複合機１０の表示部１７に表示された宛先入力画面５０の一例を示す図である。ここでは、スキャンｔｏＥｍａｉｌの宛先入力画面５０を例示している。
【００５１】
スキャンｔｏＥｍａｉｌの宛先入力画面５０には、登録Ｎｏを入力するための登録Ｎｏ入力欄５１と、ユーザの名前を入力するための名前入力欄５２と、ユーザの電子メールアドレス（宛先）を入力するためのアドレス入力欄５３と、パネルの位置情報を設定するか否かを指定するためのパネルの位置情報登録チェックボックス５４と、パネルの位置情報の設定に現在の操作パネル２５の位置情報（操作パネル位置検出部２４によって検出された操作パネル２５の位置情報）を使用するか否かを指定するための現在の位置チェックボックス５５と、設定される操作パネル２５の傾斜角度（パネル角度）を表示する傾斜表示部５６と、設定される操作パネル２５の高さ（パネル高さ）を表示する高さ表示部５７と、入力された登録情報および設定情報のキャンセルを受け付けるＣａｎｃｅｌボタン５８と、入力された登録情報および設定情報の確定を受け付けるＯＫボタン５９とが表示される。
【００５２】
パネルの位置情報登録チェックボックス５４にチェックを入れた場合は、操作パネル２５の位置情報の設定を行う。現在の位置チェックボックス５５にチェックを入れた場合は、操作パネル位置検出部２４によって検出された操作パネル２５の位置情報が自動で設定される。現在の位置チェックボックス５５にチェックを入れない場合は、ユーザが操作パネル２５の位置情報（傾斜角度および高さ）を手動で設定する。操作パネル２５の傾斜角度と高さは、共に５段階の設定（調整）が可能となっている。本例では、傾斜角度は、９０°、１２０°、１４０°、１６０°、１８０°の５段階となっている。高さは、−５、−３、０、＋３、＋５の５段階となっている。
【００５３】
なお、図示は省略するが、スキャンtoＦＴＰ、スキャンtoＳＭＢ、ＦＡＸにおける宛先入力画面も同様に、各種の登録情報を入力するための入力欄と、パネルの位置情報登録チェックボックスと、現在の位置チェックボックスと、傾斜表示部と、高さ表示部と、Ｃａｎｃｅｌボタンと、ＯＫボタンとが表示される。スキャンtoＢＯＸにおけるＢＯＸの登録情報を入力するためのＢＯＸ情報入力画面やユーザ認証におけるユーザの登録情報を入力するためのユーザ情報入力画面も同様に、各種の登録情報を入力するための入力欄と、パネルの位置情報登録チェックボックスと、現在の位置チェックボックスと、傾斜表示部と、高さ表示部と、Ｃａｎｃｅｌボタンと、ＯＫボタンとが表示される。
【００５４】
次に、複合機１０の動作について説明する。
【００５５】
図６は、複合機１０による登録情報の登録動作の流れを示す図である。
【００５６】
複合機１０では、ユーザから操作部１８を通じて登録情報の登録を行うための登録設定画面（図５の宛先入力画面５０など）を表示する操作を受け付けると、ＣＰＵ１１は表示部１７にその登録設定画面を表示する（ステップＳ１０１「登録設定画面へ遷移」）。ＣＰＵ１１は、登録設定画面および操作部１８を通じて行われる必要情報（登録情報／設定情報）の入力、ＯＫボタンの押下、Ｃａｎｃｅｌボタンの押下を監視する（ステップＳ１０２；Ｎｏ→ステップＳ１０３；Ｎｏ→ステップＳ１０２）。
【００５７】
Ｃａｎｃｅｌボタンが押下された場合には（ステップＳ１０３；Ｙｅｓ）、本動作を終了する（Ｅｎｄ）。必要情報が入力されてＯＫボタンが押下された場合には（ステップＳ１０２；Ｙｅｓ）、ＣＰＵ１１は、パネルの位置情報登録チェックボックス（図５参照）にチェックがあるか否かを確認する（ステップＳ１０４）。
【００５８】
パネルの位置情報登録チェックボックスにチェックがない場合には（ステップＳ１０４；Ｎｏ）、ＣＰＵ１１は入力された登録情報を不揮発メモリ１５に記憶して登録し（ステップＳ１０７）、本動作を終了する（Ｅｎｄ）。パネルの位置情報登録チェックボックスにチェックがある場合には（ステップＳ１０４；Ｙｅｓ）、ＣＰＵ１１は現在の位置チェックボックス（図５参照）にチェックがあるか否かを確認する（ステップＳ１０５）。
【００５９】
現在の位置チェックボックスにチェックがない場合には（ステップＳ１０５；Ｎｏ）、ＣＰＵ１１は入力された登録情報および設定情報（操作パネル２５の位置情報（傾斜角度および高さ））を関連付けて不揮発メモリ１５に記憶して登録し（ステップＳ１０７）、本動作を終了する（Ｅｎｄ）。
【００６０】
現在の位置チェックボックスにチェックがある場合には（ステップＳ１０５；Ｙｅｓ）、ＣＰＵ１１は操作パネル位置検出部２４から操作パネル２５の位置情報（傾斜角度および高さ）を取得する（ステップＳ１０６）。そしてＣＰＵ１１は、入力された登録情報および取得した操作パネル２５の位置情報（設定情報）を関連付けて不揮発メモリ１５に記憶して登録し（ステップＳ１０７）、本動作を終了する（Ｅｎｄ）。
【００６１】
図７は、複合機１０による登録情報の表示動作の流れを示す図である。図８〜図１０は、図７に示す登録情報の表示動作によって複合機１０の表示部１７に表示された登録情報の選択画面の一例を示す図である。ここでは、登録情報における宛先（電子メールアドレスなど）の選択を行うために、登録名（ユーザの名前）を平仮名の頭文字（あ、か、さ・・・）毎かつ同じ頭文字内では子音順（あ行、い行、う行・・・）に並べて一覧表示し、選択を受け付ける宛先選択画面６０を例示している。
【００６２】
宛先選択画面６０には、当該選択画面の表示対象となる登録情報を検索して一覧表示する際に、操作パネル２５の位置（操作パネル位置検出部２４によって検出された操作パネル２５の位置情報）に応じて、登録情報の表示順序の入れ替えや絞り込み表示といった「パネルの位置検索」を行うか否かの設定を受け付けるパネルの位置検索設定部６１（設定メニュー表示部）と、画面のページ送り操作を受け付けるページ送りボタン６２と、登録情報の選択を受け付ける登録情報選択ボタン６３と、本画面による登録情報の選択のキャンセルを受け付けるＣａｎｃｅｌボタン６４と、選択された登録情報の確定を受け付けるＯＫボタン６５とが表示される。
【００６３】
この宛先選択画面６０では、登録情報である宛先の登録名（ユーザの名前）が登録情報選択ボタン６３として表示されるようになっており、その登録名が表示された登録情報選択ボタン６３が、平仮名の頭文字毎かつ同じ頭文字内では子音順に並べられて一覧表示される。また本実施形態では、画面の１ページ内には最大１０個の登録名（登録情報選択ボタン６３）が表示可能であり、１ページ内に表示しきれない登録名は２ページ以降に表示される。
【００６４】
パネルの位置検索設定部６１には、上記のパネルの位置検索を行うか否かを設定するためのチェックボックス（パネルの位置検索設定チェックボックス）と、登録情報の表示順序の入れ替えを行う「優先」または絞り込み表示を行う「一致した情報のみ表示」を選択するための選択部とが表示される。
【００６５】
「優先」は、検索した登録情報を一覧表示する際に、検索した登録情報に関連付けて記憶されている位置情報と、操作パネル位置検出部２４によって検出された操作パネル２５の位置情報の比較を行い、それらがより近い順に登録情報の並び替えを行い、登録情報を一覧表示するものである。「一致した情報のみ表示」は、検索した登録情報を一覧表示する際に、検索した登録情報に関連付けて記憶されている位置情報と、操作パネル位置検出部２４によって検出された操作パネル２５の位置情報の比較を行い、それらが一致している登録情報のみを一覧表示するものである。
【００６６】
位置情報の比較方法と、「優先」の場合のその比較結果に応じた登録情報の並び替えについては、特に規定（限定）しない。たとえば、図５に例示した宛先入力画面５０の場合には、傾斜（角度）と高さの各５段階を数値化し、その位置情報（設定情報）と検出された位置情報の差分を求める。その傾斜（角度）と高さの各差分の絶対値の和を計算し、この値の小さい順（昇順）に並び替えを行うことで、操作パネル２５の検出位置に近い位置情報（設定情報）に関連付けられている登録情報から順番に、登録情報を並び替えることが可能となる。この位置情報の比較に係る計算方法の一例を以下に示す。
【００６７】
傾斜については、たとえば、１８０°は「０」、１６０°は「１」、１４０°は「２」、１２０°は「３」、９０°は「４」の各数値を割り当てる。高さについては、たとえば、＋５は「０」、＋３は「１」、０は「２」、−３は「３」、−５は「４」の各数値を割り当てる。登録情報における位置情報(登録情報・登録時の設定情報)が傾斜＝１４０°、高さ＝０であり、操作パネル位置検出部２４よって検出された操作パネル２５の位置情報が傾斜＝９０°、高さ＝３である場合には、以下の計算により差分＝３となる。
【００６８】
傾斜  ｜１４０°−９０°｜＝｜２−４｜＝２
高さ  ｜０−３｜＝｜２−１｜＝１
差分（位置の差）  ２＋１＝３
【００６９】
図７に示すように、複合機１０では、ＣＰＵ１１は表示部１７に表示している宛先選択画面６０で、ユーザから頭文字の選択を受けるか否かを監視する（ステップＳ２０１；Ｎｏ）。頭文字の選択を受けると（ステップＳ２０１；Ｙｅｓ）、ＣＰＵ１１は不揮発メモリ１５に記憶されている登録情報（登録名）の中から、選択された頭文字と同じ登録情報を検索し、検索した登録情報と、その登録情報に関連付けて記憶されている設定情報（操作パネル２５の位置情報）を検索結果リストに登録する（ステップＳ２０２）。
【００７０】
検索結果リストは、たとえばＣＰＵ１１によってＲＡＭ１４内に作成される。ここでは、ＣＰＵ１１は検索した登録情報と、その登録情報に関連付けて記憶されている設定情報とを関連付けて、登録名（ユーザの名前など）の平仮名の子音順に検索結果リストに登録する。
【００７１】
パネルの位置検索設定チェックボックスにチェックがなく、パネルの位置検索の設定が無効である場合には（ステップＳ２０３；Ｎｏ）、ＣＰＵ１１は検索結果リストに登録されている登録情報（登録名）を登録順に宛先選択画面６０に一覧表示し（ステップＳ２０８）、本動作を終了する（Ｅｎｄ）。
【００７２】
パネルの位置検索設定チェックボックスにチェックがあり、パネルの位置検索の設定が有効である場合には（ステップＳ２０３；Ｙｅｓ）、ＣＰＵ１１は操作パネル位置検出部２４から操作パネル２５の位置情報（傾斜角度および高さ）を取得する（ステップＳ２０４）。
【００７３】
パネルの位置検索において「優先」が選択されている場合には（ステップＳ２０５；Ｙｅｓ）、ＣＰＵ１１は検索結果リスト内の全ての登録情報に関連付けて記憶されている設定情報（操作パネル２５の位置情報）と、操作パネル位置検出部２４から取得した操作パネル２５の位置情報を比較し、それらが近いものの順に登録情報の登録順（リスト順序）を変更する（ステップＳ２０６）。そして、検索結果リストに登録されている登録情報（登録名）を登録順に宛先選択画面６０に一覧表示し（ステップＳ２０８）、本動作を終了する（Ｅｎｄ）。
【００７４】
パネルの位置検索において「一致した情報のみ表示」が選択されている場合には（ステップＳ２０５；Ｎｏ）、ＣＰＵ１１は検索結果リスト内の全ての登録情報に関連付けて記憶されている設定情報（操作パネル２５の位置情報）と、操作パネル位置検出部２４から取得した操作パネル２５の位置情報を比較し、それらが一致するもの以外の登録情報を削除する（ステップＳ２０７）。そして、検索結果リストに登録されている登録情報（登録名）を登録順に宛先選択画面６０に一覧表示し（ステップＳ２０８）、本動作を終了する（Ｅｎｄ）。
【００７５】
図８は、図７のステップＳ２０３でパネルの位置検索の設定が無効（Ｎｏ）である場合の宛先選択画面６０の一例を示す図である。たとえば、頭文字として「あ」が選択された場合には、登録名の頭文字があ行に該当する登録情報が検索され、検索された登録情報における登録名が子音順に一覧表示される。
【００７６】
図１１は、登録名の頭文字があ行に該当するＥｍａｉｌの宛先（電子メールアドレス）の登録例を示す図である。なお、図１１では登録Ｎｏとアドレスは図示を省略している。
【００７７】
図１１に示すように、たとえば、登録名の頭文字があ行に該当する宛先として、「赤坂」、「秋元」、「阿部」、・・・「岡」、「沖」の１１件の宛先が登録されている場合には、図８に示すように、宛先選択画面６０の１ページ目には、「赤坂」から「岡」までの１０個の宛先の登録名が子音順に一覧表示される。また、宛先選択画面６０のページ送りボタン６２を操作して２ページ目を表示した場合には、残り１個の「沖」の宛先の登録名がその２ページ目に表示される。
【００７８】
登録名の頭文字が同じである宛先（登録情報）が複数ある場合には、図８に示すように、宛先選択画面６０には、その複数の宛先の登録名が一覧表示される。また、登録名の頭文字が同じである宛先が多数あって宛先選択画面６０の１ページ内に表示しきれない場合には（本例では１１個以上ある場合には）、その表示しきれない宛先の登録名が２ページ以降に表示される。
【００７９】
このように、宛先選択画面６０に複数の宛先の登録名が一覧表示されたり、多数の宛先の登録名が複数ページに渡って表示されたりすると、ユーザは所望の宛先（登録名）を見つけ出すのが困難になる場合がある。このような場合には、パネルの位置検索を有効にし、「優先」を選択すると、操作パネル２５の位置（位置情報）に応じて、宛先（登録名）の並び替えが行われ、ユーザは所望の宛先（登録名）を見つけ出し易くなる。また、パネルの位置検索を有効にし、「一致した情報のみ表示」を選択すると、操作パネル２５の位置（位置情報）に応じて、宛先（登録名）の絞り込み表示が行われ、ユーザは所望の宛先（登録名）を見つけ出し易くなる。
【００８０】
図９は、図７のステップＳ２０５で「優先」が選択されている場合（Ｙｅｓの場合）の宛先選択画面６０の一例を示す図である。詳細には、操作パネル位置検出部２４によって検出された操作パネル２５の位置情報が傾斜角度＝９０°、高さ＝０の場合に、図１１の宛先（登録名）が図１２に示す比較結果に応じて（比較結果の昇順に）並び替えられて一覧表示された宛先選択画面６０である。
【００８１】
図１０は、図７のステップＳ２０５で「一致した情報のみ表示」が選択されている場合（Ｎｏの場合）の宛先選択画面６０の一例を示す図である。詳細には、操作パネル位置検出部２４によって検出された操作パネル２５の位置情報が傾斜角度＝９０°、高さ＝０の場合に、図１１の宛先（登録名）が図１２に示す比較結果に応じて（比較結果が「０」のもののみに）絞り込まれて一覧表示された宛先選択画面６０である。
【００８２】
図１２に示す「角度差分」は、前述した位置情報比較に係る計算方法の例で説明した「１８０°⇒０」〜「９０°⇒４」の５段階の数値などを用いて計算（比較）を行った差分である。「高さ差分」は、前述した位置情報比較に係る計算方法の例で説明した「＋５⇒０」〜「−５⇒４」の５段階の数値などではなく、６段階以上（たとえば「０〜５（以上）」の数値を用いて計算（比較）を行った差分である。「比較結果」は、この角度差分と高さ差分の和である。
【００８３】
図９および図１０に示すように、操作パネル位置検出部２４によって検出された操作パネル２５の位置情報（現在の操作パネル２５の位置）と同じ位置情報（設定情報）が登録されている「秋本」さんと「沖」さんの登録名に対応する登録情報選択ボタン６３がより見つけ出し易く表示される。特に「沖」さんの登録情報選択ボタン６３は、図８では、あ行における平仮名の子音順（あ行、い行、う行・・・）では１ページ目に表示されていなかったが、図９および図１０では１ページ目に表示されるようになる。
【００８４】
このように、１ページ目に表示されていなかった登録名の登録情報選択ボタン６３が１ページ目に表示される、もしくは、元の表示ページよりも前ページに表示されることにより、その登録情報選択ボタン６３が見つけ出し易くなると共に、ページ送りを行って探し出す手間が軽減されるため、選択操作も容易になる。
【００８５】
以上説明したように、本実施形態に係る複合機１０は、表示部１７と操作部１８を有して変位可能に支持された可動式の操作パネル２５を備え、操作パネル２５から入力された登録対象の登録情報は、操作パネル２５の位置情報と関連付けて不揮発メモリ１５に記憶し登録する。このように、操作パネル２５の位置情報を予め登録情報に関連付けておき、この位置情報を、登録情報の表示の優先順位を決めるための条件（並び替え条件／絞り込み条件）に使用する。
【００８６】
すなわち、不揮発メモリ１５に記憶されている登録情報を表示部１７に表示する際は、操作パネル位置検出部２４によって検出した操作パネル２５の位置情報と、登録情報に関連付けて記憶されている位置情報とを比較し、その比較結果に応じて（検出した操作パネル２５の位置に応じて）、登録情報の表示の優先順位を制御する。これにより、操作パネル２５の位置が変更されると、その操作パネル２５の位置に近い位置情報に関連付けられている登録情報から優先的に表示し、その登録情報を見つけ出し易く表示するなどが可能となる。
【００８７】
本実施形態で説明したパネルの位置検索における「優先」の選択時には、検出された操作パネル２５の位置情報と、記憶されている位置情報との差分に応じて、登録情報の表示の優先順位を変更する。具体的には、表示の優先順位を差分の小さい順に変更する。これにより、検出された操作パネル２５の位置との差が小さい位置情報に関連付けられている登録情報から優先的（見つけ出し易く）に表示されるようになる。
【００８８】
また、パネルの位置検索における「一致した情報のみ表示」の選択時には、検出された操作パネル２５の位置情報と、記憶されている位置情報が一致すれば、記憶されている登録情報の中では、その一致している位置情報に関連付けられている登録情報のみを表示する。これにより、検出された操作パネル２５の位置と一致する位置情報に関連付けられている登録情報が優先的（見つけ出し易く）に表示されるようになる。
【００８９】
本実施形態に係る複合機１０では、たとえばユーザが自分の見やすい位置もしくは使いやすい位置に操作パネル２５を調整すると、そのユーザにとって優先順位の高い登録情報を見つけ出し易く表示することが可能となる。したがって、表示された登録情報の中からユーザが所望の登録情報を探して見つけ出す際の検索性が向上する。また、該当する登録情報が一覧表示画面の数ページに渡り、所望の登録情報が後方ページに表示される場合には、ページ送りなどの操作を行って所望の登録情報を探し出す手間が軽減されるようになり、登録情報の選択操作も容易になる。
【００９０】
以上、本発明の実施形態を図面によって説明してきたが、具体的な構成は実施形態に示したものに限られるものではなく、本発明の要旨を逸脱しない範囲における変更や追加があっても本発明に含まれる。
【００９１】
実施形態では、登録情報は複合機１０の内部（不揮発メモリ１５）に記憶される構成としているが、複合機１０の外部に設けられた外部記憶装置などに記憶される構成としてもよい。
【００９２】
登録情報、および、登録情報に関連付けて記憶する操作パネル２５の位置情報は、ユーザなどが操作パネル２５を通じて入力する他に、複合機１０に接続されている外部の端末装置やサーバなどを通じてユーザや管理者などが入力するようにしてもよい。
【００９３】
操作パネル２５の変位は、角度（傾き）および高さの両方向への変位に限らない。いずれか一方の方向への変位としてもよい。
【００９４】
操作パネル２５は、表示部１７と操作部１８の両方を備える構成に限らない。いずれか一方のみを備える構成としてもよい。このパネル部は、表示部と操作部の少なくとも一方を有し、変位可能に支持されていればよい。
【００９５】
また実施形態では、登録情報を利用するための選択画面（宛先選択画面６０）に、登録情報（登録名）を平仮名の頭文字毎に絞り込んで（分類して）表示するようにしているが、他の条件で絞り込むようにしてもよい。たとえば、アルファベットの頭文字毎にしたり、登録番号の所定範囲毎（たとえば１０番毎など）にしたりしてもよい。
【００９６】
また、本発明に係る登録情報表示装置は、実施形態で説明した複合機に限らず、端末装置なども対象にすることができる。本発明に係る画像処理装置は、実施形態で説明した複合機に限らず、スキャナ機、ファクシミリ機なども対象にすることができる。
【符号の説明】
【００９７】
１０…複合機
１１…ＣＰＵ
１２…バス
１３…ＲＯＭ
１４…ＲＡＭ
１５…不揮発メモリ
１６…ハードディスク装置
１７…表示部
１８…操作部
１９…ファクシミリ通信部
２０…ネットワーク通信部
２１…画像処理部
２２…スキャナ部
２３…プリンタ部
２４…操作パネル位置検出部
２５…操作パネル
３０…装置本体
３１…支持部
５０…宛先入力画面
５１…登録Ｎｏ入力欄
５２…名前入力欄
５３…アドレス入力欄
５４…パネルの位置情報登録チェックボックス
５５…現在の位置チェックボックス
５６…傾斜表示部
５７…高さ表示部
５８…Ｃａｎｃｅｌボタン
５９…ＯＫボタン
６０…宛先選択画面
６１…パネルの位置検索設定部
６２…ページ送りボタン
６３…登録情報選択ボタン
６４…Ｃａｎｃｅｌボタン
６５…ＯＫボタン
α…パネル角度
β…パネル高さ
【図１】
2011193177.tif 000003
【図２】
2011193177.tif 000004
【図３】
2011193177.tif 000005
【図４】
2011193177.tif 000006
【図５】
2011193177.tif 000007
【図６】
2011193177.tif 000008
【図７】
2011193177.tif 000009
【図８】
2011193177.tif 000010
【図９】
2011193177.tif 000011
【図１０】
2011193177.tif 000012
【図１１】
2011193177.tif 000013
【図１２】
2011193177.tif 000014